(57)【要約】      （修正有）【課題】患者が遠隔から他の医療従事者に本人の病状について問い合わせたいとき、医療データを、インターネットを介して他の分析装置に送信することができる遠隔医療データ保存システムを提供する。【解決手段】検出装置１と、分析装置２と、および携帯装置３とを含み、検出装置１は、センサ１０と、計算モジュール１１と、記憶モジュール１２と、レンズ１３と、スクリーン１４とを含む。センサ１０は、患者の人体周波数を検出して検出信号を生成することができ、計算モジュール１１は、検出信号を分析して検出データを生成し、それを記憶モジュール１２に格納することができる。分析装置２と検出装置１とはインターネットを介して接続されており、携帯装置３は、メディア送信プロトコル装置３１を介して検出装置１に検出データをダウンロードすることができる。【選択図】図１
0003217423.tif 000002
【実用新案登録請求の範囲】
【請求項１】
一種の遠隔醫療データ保存システムであり、検出装置と、分析装置と、携帯装置とを含み、
前記検出装置は、センサと、計算モジュールと、記憶モジュールと、レンズと、スクリーンとを含み、前記センサは、患者の体の周波数を検出し、検出信号を生成することができ、前記計算モジュールは、前記検出信号を分析して検出データを生成することができ、前記記憶モジュールは、前記検出データを格納し、前記レンズは、患者のリアルタイム映像及び音声を捕捉し、前記スクリーンは前記検出データと医療従事者のリアルタイム映像及び音声を再生でき、
前記分析装置は、レンズおよびスクリーンを含み、インターネットを介して前記検出装置に接続され、前記検出装置の検出データおよびリアルタイム映像および音声を受信し、前記分析装置のレンズは医療従事者のリアルタイム映像および音声を捕捉することができ、インターネットを介して前記検出装置に伝送し、前記検出装置のスクリーンが前記医療従事者のリアルタイム映像および音声を再生でき、前記分析装置のスクリーンは前記医療従事者が前記患者の病状を判定するための基準として前記検出データおよび前記患者のリアルタイム映像及び音声を再生することができ、
前記携帯装置は、メディア送信プロトコル装置を介して前記検出装置に接続され、前記検出装置の検出データは前記メディア送信プロトコル装置を介して格納するための記憶モジュールを有することを特徴とする、遠隔醫療データ保存システム。
【請求項２】
前記携帯装置はアンドロイド（Android）操作システムを搭載したスマートフォンまたはタブレットであることを特徴とする、請求項１に記載の遠隔医療データ保存システム。
【請求項３】
前記携帯装置はインターネットを介して前記分析装置に無線で接続して、前記携帯装置によって記憶された検出データを前記分析装置に送信することができることを特徴とする、請求項１に記載の遠隔医療データ保存システム。
【請求項４】
前記携帯装置は無線ネットワークを介して他の生理学的検出装置に無線接続されていてもよく、前記生理学的検出装置は血圧計またはサーマルガンまたは血糖モニタであってもよく、体重計または自律神経分析器であっても良いことを特徴とする、請求項１に記載の遠隔医療データ保存システム。
【請求項５】
前記検出装置は、非線形診断人体周波数分析装置であることを特徴とする、請求項1乃至4のいずれかに記載の遠隔医療データ記憶システム。
【考案の詳細な説明】
【技術分野】
【０００１】
本考案は一種の遠隔醫療データ保存システムであり、患者が再検査する必要がないように、医療記録を保存でき、保存された医療記録データを使用して、関連する他の医療従事者に遠隔照会することができる。
【背景技術】
【０００２】
生活習慣や食生活の変化に伴い、文明病や慢性疾患など多くの病気が浮上し、医療ニーズが高まっており、供給が不足しているため、医療資源の有効利用は誰もが直面する重要課題である。
【０００３】
一般医療機関の分類は、主に医療センター、地域病院、郡病院、クリニックに分類される。そのうち、医療センターの医療施設は最も完成度が高く、多くの人は体が不調なときは、大病院を訪れるに慣れて大病院の混雑を招くことがよくある。重度の急性疾患の患者には長時間、長い行列待ちが必要になることがよくあり、医療資源の分配が不均一になるという問題がある
【０００４】
したがって、現在、業者により、開発された遠隔医療検出システムは主に検出装置と表示装置とを含み、検出装置と表示装置はインターネットを介して接続することができる。検出装置は、患者の体を検出することができ、検出が完了した後、検出データが生成される。検出データは、インターネットを介して表示装置に送信され、医療従事者が患者の検出データを最初に即時判断するための検出データを表示できるようにする。そして、フォローアップ治療について患者と話し合う。遠隔医療検出システムを通じて、医療従事者および患者は、空間および時間の障壁を克服し、映像および音声のリアルタイムにより、病状の分析を行い、医療資源の浪費を回避することができる。
【考案の概要】
【考案が解決しようとする課題】
【０００５】
しかし、従来の遠隔医療検出システムの検出データは、携帯装置、例えばスマートフォンまたはタブレットに格納することができない。検出データは、検出装置にのみ格納することができ、患者の医療記録データを他の方法で格納することはできない。患者が他の医療従事者に本人の病状について、遠隔から問い合わせることを望む場合、それは検出装置で再度検査されなければならず、これは非常に不便である。
【課題を解決するための手段】
【０００６】
上記課題を解決するために、本考案は遠隔醫療データ保存システムを提供する。
【０００７】
上記目的を達成するため、本考案が提供する、遠隔醫療データ保存システムは検出装置と、分析装置と、携帯装置とを含む。検出装置は、センサと、計算モジュールと、記憶モジュールと、レンズと、スクリーンとを含む。センサは、患者の体の周波数を検出し、検出信号を生成することができ、計算モジュールは、検出信号を分析して検出データを生成することができ、記憶モジュールは、検出データを格納し、レンズは、患者のリアルタイム映像および音声を捕捉、スクリーンは検出データと医療従事者のリアルタイム映像および音声を再生できる。
分析装置は、レンズおよびスクリーンを含み、インターネットを介して前記検出装置に接続され、検出装置の検出データおよびリアルタイム映像および音声を受信する。分析装置のレンズは医療従事者のリアルタイム映像および音声を捕捉することができ、インターネットを介して前記検出装置に伝送し、検出装置のスクリーンが前記医療従事者のリアルタイム映像および音声を再生できる。分析装置のスクリーンは、医療従事者が患者の病状を判定するための基準として、検出データおよび患者のリアルタイム映像及び音声を再生することができる。携帯装置は、メディア送信プロトコル装置を介して前記検出装置に接続され、検出装置の検出データをメディア送信プロトコル装置を介して格納するための記憶モジュールを有する。
【０００８】
遠隔医療データ保存システムにおいて、携帯装置はアンドロイド（Android）操作システムを搭載したスマートフォンまたはタブレットである。
【０００９】
遠隔医療データ保存システムにおいて、携帯装置は、インターネットを介して分析装置に無線で接続して、携帯装置によって記憶された検出データを分析装置に送信することができる。
【００１０】
遠隔医療データ保存システムは、検出装置が非線形診断人体周波数分析装置である。
【００１１】
遠隔医療データ保存システムにおいて、携帯装置は無線ネットワークを介して他の生理学的検出装置に無線接続されていてもよく、生理学的検出装置は血圧計またはサーマルガンまたは血糖モニタであってもよく、体重計または自律神経分析器であっても良い。
【００１２】
上記に基づいて、携帯装置は、メディア送信プロトコル装置を介して検出装置に検出データをダウンロードして、携帯装置の記憶モジュールに検出データを格納することができる。もしも患者が他の医療従事者に本人の病状について、遠隔から問い合わせることを望む場合、携帯装置内の検出データはインターネットを介して他の分析装置に送信することができる。他の医療従事者が、検出装置を用いて再度検査を行う必要なしに、判断をすることは非常に便利である。
【考案の効果】
【００１３】
本考案は、患者が再検査する必要がないように、医療記録を保存でき、保存された医療記録データを使用して、関連する他の医療従事者に遠隔照会することができる。
【図面の簡単な説明】
【００１４】
【図１】本考案の実施形態の構造ブロック図である。
【図２】本考案の実施形態の使用模式図である。
【考案を実施するための形態】
【００１５】
上記目的を達成するために、採用された技術的手段およびその効果により、以下の好ましい実施例および添付図面を詳細に説明したい。次に、本考案のその他の効果及び技術特徴についての説明に入る。本技術の熟知者は、以下の説明を読めば本考案の実現が可能となる。
【００１６】
図1を参照すると、本考案の一実施形態による遠隔医療データ保存システムは、検出装置と、分析装置と携帯装置とを含む。
検出装置１は、センサ１０と、計算モジュール１１と、記憶モジュール１２と、レンズ１３と、スクリーン１４とを備える非線形診断用人体周波数分析装置である。
センサ１０は、患者の人体周波数を検出して検出信号を生成することができ、計算モジュール１１は、検出信号を分析して検出データを生成し、記憶モジュール１２は検出データを格納し、レンズ１３は、患者のリアルタイム映像および音声を取り込むことができ、スクリーン１４は検出データを再生し、医療従事者のライブビデオを受信することができる。
分析装置２は、インターネットを介して検出装置１に接続されており、レンズ２０及びスクリーン２１を含む。
レンズ２０は、医療従事者のリアルタイム映像及び音声を取り込むことができ、スクリーン２１は、患者の病状を判断するための基準として、医療従事者のための検出データ及び患者のリアルタイム映像及び音声を再生することができる。
携帯装置３は、メディア送信プロトコル装置３１を介して検出装置１に接続されている。メディア転送プロトコル（MTP）装置３１は、メディアファイルおよびデータ情報の送信をサポートする。携帯装置３は、記憶モジュール１２の検出データをダウンロードするための記憶モジュール３０を有し、携帯装置３は、アンドロイド（Android）操作システムを備えたスマートフォンまたはタブレットである。
【００１７】
本考案の実施形態では、携帯装置３は、インターネットを介して分析装置２に接続され、記憶モジュール３０に記憶された検出データを分析装置２に送信し、検出データをスクリーン２１に表示させることができる。
【００１８】
図1を参照すると、センサ１０が患者に接続された後、検出装置１がオンされ、センサ１０が検出信号を計算モジュール１１に送信する。計算処理の後、検出データが生成され、記憶モジュール１２に記憶される。同時に、スクリーン１４は、患者が見るための検出データを表示する。また、インターネットを介して分析装置２に検出データを送信することにより、医療従事者が患者の検出データをリアルタイムで即時に判定できるように、検出データをスクリーン２１に表示させる。同時に、患者および医療従事者の映像及び音声は、それぞれレンズ１３、２０を介して捕捉され、インターネットを介してリアルタイムで送信される。スクリーン２１、１４は、それぞれ患者および医療従事者のリアルタイム映像および音声を表示して、患者および医療従事者が通信し、後で医療処置するためにリアルタイムで互いに話し合うことができるようにする。
【００１９】
図1を参照すると、携帯装置３は、メディア送信プロトコル装置３１を介して記憶モジュール１２に検出データをダウンロードし、記憶モジュール３０に保存することができる。患者が他の医療従事者に本人の病状について尋ねたいとき、記憶モジュール３０の検出データはインターネットを介して他の分析装置に送信され、他の医療従事者が判断することができる。
【００２０】
さらに、図１および図２を参照すると、携帯装置３は、無線ネットワークを介して、他の生理学的検出装置３２、例えば血圧計またはサーマルガンまたは血糖計または体重計または自律神経分析器に無線接続されてもよい。携帯装置３は、生理学的検出装置３２の検出結果を記憶モジュール３０に記憶させ、インターネットを介して分析装置２に検出結果を送信することができ、医療従事者はその検出結果を判断することができる。
【００２１】
したがって、携帯装置は、検出装置の検出データをメディア送信プロトコル装置を介してダウンロードし、携帯装置の記憶モジュールに検出データを格納することができる。患者が他の医療従事者に本人の病状について遠隔から問い合わせたい場合には、インターネットを介して他の分析装置に送信することができ、他の医療従事者が判断でき、検出装置による再検出が不要となり非常に便利である。
【００２２】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００２３】
１    検出装置
１０  センサ
１１  計算モジュール
１２  記憶モジュール
１３  レンズ
１４  スクリーン
２    分析装置
２０  レンズ
２１  スクリーン
３    携帯装置
３０  記憶モジュール
３１  メディア送信プロトコル装置
３２  生理学的検出装置
【図１】
0003217423.tif 000003
【図２】
0003217423.tif 000004
【手続補正書】
【提出日】平成30年6月8日(2018.6.8)
【手続補正１】
【補正対象書類名】明細書
【補正対象項目名】全文
【補正方法】変更
【補正の内容】
【考案の詳細な説明】
【技術分野】
【０００１】
本考案は一種の遠隔医療データ保存システムであり、患者が再検査する必要がないように、医療記録を保存でき、保存された医療記録データを使用して、関連する他の医療従事者に遠隔照会することができる。
【背景技術】
【０００２】
生活習慣や食生活の変化に伴い、文明病や慢性疾患など多くの病気が浮上し、医療ニーズが高まっており、供給が不足しているため、医療資源の有効利用は誰もが直面する重要課題である。
【０００３】
一般医療機関の分類は、主に医療センター、地域病院、郡病院、クリニックに分類される。そのうち、医療センターの医療施設は最も完成度が高く、多くの人が体が不調なときは、大病院を訪れるに慣れて大病院の混雑を招くことがよくある。重度の急性疾患の患者には長時間、長い行列待ちが必要になることがよくあり、医療資源の分配が不均一になるという問題がある
【０００４】
したがって、現在、業者により、開発された遠隔医療検出システムは主に検出装置と表示装置とを含み、検出装置と表示装置はインターネットを介して接続することができる。検出装置は、患者の体を検出することができ、検出が完了した後、検出データが生成される。検出データは、インターネットを介して表示装置に送信され、医療従事者が患者の検出データを最初に即時判断するための検出データを表示できるようにする。そして、フォローアップ治療について患者と話し合う。遠隔医療検出システムを通じて、医療従事者および患者は、空間および時間の障壁を克服し、映像および音声のリアルタイムにより、病状の分析を行い、医療資源の浪費を回避することができる。
【考案の概要】
【考案が解決しようとする課題】
【０００５】
しかし、従来の遠隔医療検出システムの検出データは、携帯装置、例えばスマートフォンまたはタブレットに格納することができない。検出データは、検出装置にのみ格納することができ、患者の医療記録データを他の方法で格納することはできない。患者が他の医療従事者に本人の病状について、遠隔から問い合わせることを望む場合、それは検出装置で再度検査されなければならず、これは非常に不便である。
【課題を解決するための手段】
【０００６】
上記課題を解決するために、本考案は遠隔医療データ保存システムを提供する。
【０００７】
上記目的を達成するため、本考案が提供する、遠隔医療データ保存システムは検出装置と、分析装置と、携帯装置とを含む。検出装置は、センサと、計算モジュールと、記憶モジュールと、レンズと、スクリーンとを含む。センサは、患者の体の周波数を検出し、検出信号を生成することができ、計算モジュールは、検出信号を分析して検出データを生成することができ、記憶モジュールは、検出データを格納し、レンズは、患者のリアルタイム映像および音声を捕捉、スクリーンは検出データと医療従事者のリアルタイム映像および音声を再生できる。
分析装置は、レンズおよびスクリーンを含み、インターネットを介して前記検出装置に接続され、検出装置の検出データおよびリアルタイム映像および音声を受信する。分析装置のレンズは医療従事者のリアルタイム映像および音声を捕捉することができ、インターネットを介して前記検出装置に伝送し、検出装置のスクリーンが前記医療従事者のリアルタイム映像および音声を再生できる。分析装置のスクリーンは、医療従事者が患者の病状を判定するための基準として、検出データおよび患者のリアルタイム映像及び音声を再生することができる。携帯装置は、メディア送信プロトコル装置を介して前記検出装置に接続され、検出装置の検出データをメディア送信プロトコル装置を介して格納するための記憶モジュールを有する。
【０００８】
遠隔医療データ保存システムにおいて、携帯装置は操作システムを搭載したスマートフォンまたはタブレットである。
【０００９】
遠隔医療データ保存システムにおいて、携帯装置は、インターネットを介して分析装置に無線で接続して、携帯装置によって記憶された検出データを分析装置に送信することができる。
【００１０】
遠隔医療データ保存システムは、検出装置が非線形診断人体周波数分析装置である。
【００１１】
遠隔医療データ保存システムにおいて、携帯装置は無線ネットワークを介して他の生理学的検出装置に無線接続されていてもよく、生理学的検出装置は血圧計またはサーマルガンまたは血糖モニタであってもよく、 体重計または自律神経分析器であっても良い。
【００１２】
上記に基づいて、携帯装置は、メディア送信プロトコル装置を介して検出装置に検出データをダウンロードして、携帯装置の記憶モジュールに検出データを格納することができる。もしも患者が他の医療従事者に本人の病状について、遠隔から問い合わせることを望む場合、携帯装置内の検出データはインターネットを介して他の分析装置に送信することができる。他の医療従事者が、検出装置を用いて再度検査を行う必要なしに、判断をすることは非常に便利である。
【考案の効果】
【００１３】
本考案は、患者が再検査する必要がないように、医療記録を保存でき、保存された医療記録データを使用して、関連する他の医療従事者に遠隔照会することができる。
【図面の簡単な説明】
【００１４】
【図１】本考案の実施形態の構造ブロック図である。
【図２】本考案の実施形態の使用模式図である。
【考案を実施するための形態】
【００１５】
上記目的を達成するために、採用された技術的手段およびその効果により、以下の好ましい実施例および添付図面を詳細に説明したい。次に、本考案のその他の効果及び技術特徴についての説明に入る。本技術の熟知者は、以下の説明を読めば本考案の実現が可能となる。
【００１６】
図１を参照すると、本考案の一実施形態による遠隔医療データ保存システムは、検出装置と、分析装置と携帯装置とを含む。
検出装置１は、センサ１０と、計算モジュール１１と、記憶モジュール１２と、レンズ１３と、スクリーン１４とを備える非線形診断用人体周波数分析装置である。
センサ１０は、患者の人体周波数を検出して検出信号を生成することができ、計算モジュール１１は、検出信号を分析して検出データを生成し、記憶モジュール１２は検出データを格納し、レンズ１３は、患者のリアルタイム映像および音声を取り込むことができ、スクリーン１４は検出データを再生し、医療従事者のライブビデオを受信することができる。
分析装置２は、インターネットを介して検出装置１に接続されており、レンズ２０及びスクリーン２１を含む。
レンズ２０は、医療従事者のリアルタイム映像及び音声を取り込むことができ、スクリーン２１は、患者の病状を判断するための基準として、医療従事者のための検出データ及び患者のリアルタイム映像及び音声を再生することができる。
携帯装置３は、メディア送信プロトコル装置３１を介して検出装置１に接続されている。メディア転送プロトコル（MTP）装置３１は、メディアファイルおよびデータ情報の送信をサポートする。携帯装置３は、記憶モジュール１２の検出データをダウンロードするための記憶モジュール３０を有し、携帯装置３は、操作システムを備えたスマートフォンまたはタブレットである。
【００１７】
本考案の実施形態では、携帯装置３は、インターネットを介して分析装置２に接続され、記憶モジュール３０に記憶された検出データを分析装置２に送信し、検出データをスクリーン２１に表示させることができる。
【００１８】
図１を参照すると、センサ１０が患者に接続された後、検出装置１がオンされ、センサ１０が検出信号を計算モジュール１１に送信する。計算処理の後、検出データが生成され、記憶モジュール１２に記憶される。同時に、スクリーン１４は、患者が見るための検出データを表示する。また、インターネットを介して分析装置２に検出データを送信することにより、医療従事者が患者の検出データをリアルタイムで即時に判定できるように、検出データをスクリーン２１に表示させる。同時に、患者および医療従事者の映像及び音声は、それぞれレンズ１３、２０を介して捕捉され、インターネットを介してリアルタイムで送信される。スクリーン２１、１４は、それぞれ患者および医療従事者のリアルタイム映像および音声を表示して、患者および医療従事者が通信し、後で医療処置するためにリアルタイムで互いに話し合うことができるようにする。
【００１９】
図１を参照すると、携帯装置３は、メディア送信プロトコル装置３１を介して記憶モジュール１２に検出データをダウンロードし、記憶モジュール３０に保存することができる。患者が他の医療従事者に本人の病状について尋ねたいとき、記憶モジュール３０の検出データはインターネットを介して他の分析装置に送信され、他の医療従事者が判断することができる。  
【００２０】
さらに、図１および図２を参照すると、携帯装置３は、無線ネットワークを介して、他の生理学的検出装置３２、例えば血圧計またはサーマルガンまたは血糖計または体重計または自律神経分析器に無線接続されてもよい。携帯装置３は、生理学的検出装置３２の検出結果を記憶モジュール３０に記憶させ、インターネットを介して分析装置２に検出結果を送信することができ、医療従事者はその検出結果を判断することができる。
【００２１】
したがって、携帯装置は、検出装置の検出データをメディア送信プロトコル装置を介してダウンロードし、携帯装置の記憶モジュールに検出データを格納することができる。患者が他の医療従事者に本人の病状について遠隔から問い合わせたい場合には、インターネットを介して他の分析装置に送信することができ、他の医療従事者が判断でき、検出装置による再検出が不要となり非常に便利である。
【００２２】
要約すると、本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００２３】
１    検出装置
１０  センサ
１１  計算モジュール
１２  記憶モジュール
１３  レンズ
１４  スクリーン
２    分析装置
２０  レンズ
２１  スクリーン
３    携帯装置
３０  記憶モジュール
３１  メディア送信プロトコル装置
３２  生理学的検出装置
【手続補正２】
【補正対象書類名】実用新案登録請求の範囲
【補正対象項目名】全文
【補正方法】変更
【補正の内容】
【実用新案登録請求の範囲】
【請求項１】
一種の遠隔医療データ保存システムであり、検出装置と、分析装置と、携帯装置とを含み、
前記検出装置は、センサと、計算モジュールと、記憶モジュールと、レンズと、スクリーンとを含み、前記センサは、患者の体の周波数を検出し、検出信号を生成することができ、前記計算モジュールは、前記検出信号を分析して検出データを生成することができ、前記記憶モジュールは、前記検出データを格納し、前記レンズは、患者のリアルタイム映像及び音声を捕捉し、前記スクリーンは前記検出データと医療従事者のリアルタイム映像及び音声を再生でき、
前記分析装置は、レンズおよびスクリーンを含み、インターネットを介して前記検出装置に接続され、前記検出装置の検出データおよびリアルタイム映像および音声を受信し、前記分析装置のレンズは医療従事者のリアルタイム映像および音声を捕捉することができ、インターネットを介して前記検出装置に伝送し、前記検出装置のスクリーンが前記医療従事者のリアルタイム映像および音声を再生でき、前記分析装置のスクリーンは、前記医療従事者が前記患者の病状を判定するための基準として前記検出データおよび前記患者のリアルタイム映像及び音声を再生することができ、
前記携帯装置は、メディア送信プロトコル装置を介して前記検出装置に接続され、前記検出装置の検出データを前記メディア送信プロトコル装置を介して格納するための記憶モジュールを有することを特徴とする、遠隔医療データ保存システム。
【請求項２】
前記携帯装置は操作システムを搭載したスマートフォンまたはタブレットであることを特徴とする、請求項１に記載の遠隔医療データ保存システム。
【請求項３】
前記携帯装置はインターネットを介して前記分析装置に無線で接続して、前記携帯装置によって記憶された検出データを前記分析装置に送信することができることを特徴とする、請求項１に記載の遠隔医療データ保存システム。
【請求項４】
前記携帯装置は無線ネットワークを介して他の生理学的検出装置に無線接続されていてもよく、前記生理学的検出装置は血圧計またはサーマルガンまたは血糖モニタであってもよく、体重計または自律神経分析器であっても良いことを特徴とする、請求項１に記載の遠隔医療データ保存システム。
【請求項５】
前記検出装置は、非線形診断人体周波数分析装置であることを特徴とする、請求項１乃至４のいずれかに記載の遠隔医療データ記憶システム。